(57)【要約】【課題】設置場所、利用形態等の使用条件に対応させて構成内容を変更又は追加することができるブースおよびそのキットを提供する。【解決手段】ブース１は、利用者が使用する内部空間を取り囲む取替え可能な側壁２で構成されるブースであって、側壁２には少なくとも１つの出入口扉６が設けられている。側壁２は、構造、形状、寸法、材質および内外面意匠、並びに設備品７の有無、種類および配置の要素のうち少なくとも１つの要素が異なる別の側壁に取替え可能である。ブースのキットは、ブース１を構築する側壁２を含む部品を備え、部品として少なくとも取替え可能な側壁２が含まれているものである。【選択図】図１
2020007803.tif 000002
【特許請求の範囲】
【請求項１】
利用者が使用する内部空間を取り囲む取替え可能な側壁で構成されるブースであって、前記側壁には少なくとも１つの出入口扉が設けられているブース。
【請求項２】
前記側壁は、構造、形状、寸法、材質および内外面意匠、並びに設備品の有無、種類および配置の要素のうち少なくとも１つの要素が異なる別の側壁に取替え可能である請求項１に記載のブース。
【請求項３】
前記側壁は、前記出入口扉の位置および種類のうち少なくとも１つが異なる別の側壁に取替え可能である請求項１に記載のブース。
【請求項４】
前記出入口扉は、前記側壁に着脱自在に設けられており、構成内容が異なる別の出入口扉又は扉以外の部材に取替え可能に構成されている請求項１に記載のブース。
【請求項５】
前記側壁は、一部に透視可能な部分が設けられている請求項１に記載のブース。
【請求項６】
前記側壁は、複数に分割された分割側壁として構成されており、前記複数の分割側壁のうち少なくとも１つが取替え可能な分割側壁として構成されている請求項１に記載のブース。
【請求項７】
前記側壁又は複数の分割側壁に床材および天井材が追加されて取り付けられ、前記床材および天井材の少なくとも一方が取替え可能に構成されている請求項１又は６に記載のブース。
【請求項８】
前記複数の分割側壁の少なくとも１つは、一部又は枠を除く全部が透視可能に構成されている分割側壁と、全部が透視不可として構成されている分割側壁とのいずれかに取替え可能である請求項６に記載のブース。
【請求項９】
前記枠を除く全部が透視可能に構成されている分割側壁は、少なくとも強化ガラスを用いて構成されている請求項８に記載のブース。
【請求項１０】
前記複数の分割側壁の少なくとも１つは、情報通信機器および電源機器がユニット化されて設けられている請求項６又は７に記載のブース。
【請求項１１】
前記情報通信機器および電源機器がユニット化されて設けられている分割側壁の一部に机天板が設けられており、前記床材に利用者が前記机天板に向き合って座るように位置が固定された椅子が設けられている請求項１０に記載のブース。
【請求項１２】
前記複数の分割側壁の少なくとも１つは、その外周部の全部又は外周部のうち出入口の下部を除く部分に連続して外側にせり出す額縁が設けられている請求項６に記載のブース。
【請求項１３】
前記側壁又は前記複数の分割側壁の少なくとも１つは、広告の情報を表示する広告表示手段が設けられている請求項１又は６に記載のブース。
【請求項１４】
前記側壁又は前記複数の分割側壁の少なくとも１つは、展示物を設置する透視可能な展示スペース部分が設けられている請求項１又は６に記載のブース。
【請求項１５】
前記複数の分割側壁にて構成されるブースが複数並べて連結される請求項６に記載のブース。
【請求項１６】
前記複数のブースどうしの間を仕切る分割側壁を取り除いた状態で連結される請求項１５に記載のブース。
【請求項１７】
前記天井材は、開放形式の天井材と密閉形式の天井材とのいずれかに取替え可能である請求項７に記載のブース。
【請求項１８】
利用者を認証する認証手段と前記内部空間に対する利用者の出入りを検出する人感センサを有し、前記認証手段および人感センサの検出情報に基づいて特定の電気機器への電力の供給および停止を行って管理する電源管理機器が設けられている請求項１に記載のブース。
【請求項１９】
前記側壁には、その外面側にブースの利用状況の確認と利用予約を行う表示入力手段が取り付けられている請求項１に記載のブース。
【請求項２０】
前記側壁には、料金の支払いが行える支払い手段が取り付けられている請求項１に記載のブース。
【請求項２１】
請求項１乃至２０のいずれか１項に記載のブースを構築する側壁を含む部品を備え、前記部品として少なくとも取替え可能な側壁が含まれているブースのキット。
【発明の詳細な説明】
【技術分野】
【０００１】
この発明は、ブースおよびそのキットに関するものである。
【背景技術】
【０００２】
従来、ブースに関連する技術としては、以下の特許文献１−４に記載されたものが知られている。
【０００３】
特許文献１には、天井パネルと、床パネルと、前後左右の四方の壁パネルによって構成される個室ボックスにおいて、各パネルは軽量パネルで構成され、相対する一対の壁パネルの半分は着脱可能なスライド式ドアが設けられており、そのスライド式ドア以外の各４面の壁パネルは折り曲げ構造になっている個室ボックスが記載されている。また特許文献１には、前記の壁パネルに半透明の窓が設けられる構成や、前記の床パネルに移動用のキャスタが設けられる構成も記載されている。
【０００４】
特許文献２には、少なくとも外壁面が二次曲面形状を有する側面パネル部材およびその側面パネル部材を両端部で保持するように接合された長尺角筒状の連結介在部材からなる複数の側面パネルユニットと、その複数の側面パネルユニットのうち少なくとも相対向する一対の側面パネルユニットにおける側面パネル部材の下端部に当接して支持する支持部を有する底部材とを備え、前記連結介在部材の開放端側の長手方向に複数のパネル連結手段を設け、且つ前記底部材の支持部にパネル連結部材を設けるとともにその支持部に当接する前記側面パネル部材の下端部にパネル連結部材を設けてなり、前記複数の側面パネルユニットおよび底部材を前記パネル連結手段によって連結することにより、ほぼ円筒形に組立てられる組立て式個室型ブースが記載されている。
【０００５】
特許文献３には、周囲を壁で覆うとともに天井を備えたブースの内部に、人がデスクワークを行うための机天板を設けているデスクワークシステムにおいて、前記壁の内部に、ブースの内部に外側から空気を取り入れるための吸気通路と、ブースの内部の空気を上方に排出するための排気通路とのうち少なくともいずれか一方を設けており、更に、前記ブースの適宜部位に、前記通気通路を介して空気を外部から吸引する吸気ファンか、又は、排気通路を介してブース内の空気を排出する排気ファン、若しくは両方を設けているデスクワークシステムの換気装置が記載されている。
【０００６】
特許文献４には、利用者が使用可能な空間を所定時間提供するレンタルブースであって、利用者を認証する手段と、前記空間への入退室を管理するための電気錠と、利用者が使用するコンピュータ端末とを含み、そのコンピュータ端末は、利用者にサービスを提供する手段、および利用者からの要求を受け付ける手段として機能するように構成されたレンタルブースが記載されている。
【先行技術文献】
【特許文献】
【０００７】
【特許文献１】特許第３９９４０６５号公報（請求項１，４，５、図１−図６）
【特許文献２】特開２００６−７０５５０号公報（請求項１、図１−２０）
【特許文献３】特開２００２−１３０７８６号公報（請求項１、図１−２０）
【特許文献４】特開２００４−８６５８２号公報（請求項１）
【発明の概要】
【発明が解決しようとする課題】
【０００８】
この発明は、設置場所、利用形態等の使用条件に対応させて構成内容を変更又は追加することができるブースおよびそのキットを提供するものである。
【課題を解決するための手段】
【０００９】
この発明（Ａ１）のブースは、利用者が使用する内部空間を取り囲む取替え可能な側壁で構成されるブースであって、前記側壁には少なくとも１つの出入口扉が設けられているものである。
【００１０】
また、この発明（Ａ２）のブースは、上記発明Ａ１のブースにおいて、前記側壁は、構造、形状、寸法、材質および内外面意匠、並びに設備品の有無、種類および配置の要素のうち少なくとも１つの要素が異なる別の側壁に取替え可能であるものである。
この発明（Ａ３）のブースは、上記発明Ａ１のブースにおいて、前記側壁は、前記出入口扉の位置および種類のうち少なくとも１つが異なる別の側壁に取替え可能であるものである。
この発明（Ａ４）のブースは、上記発明Ａ１のブースにおいて、前記出入口扉は、前記側壁に着脱自在に設けられており、構成内容が異なる別の出入口扉又は扉以外の部材に取替え可能に構成されているものである。
この発明（Ａ５）のブースは、上記発明Ａ１のブースにおいて、前記側壁は、一部に透視可能な部分が設けられているものである。
この発明（Ａ６）のブースは、上記発明Ａ１のブースにおいて、前記側壁は、複数に分割された分割側壁として構成されており、前記複数の分割側壁のうち少なくとも１つが取替え可能な分割側壁として構成されているものである。
【００１１】
この発明（Ａ７）のブースは、上記発明Ａ１又はＡ６のブースにおいて、前記側壁又は複数の分割側壁に床材および天井材が追加されて取り付けられ、前記床材および天井材の少なくとも一方が取替え可能に構成されているものである。
この発明（Ａ８）のブースは、上記発明Ａ６のブースにおいて、前記複数の分割側壁の少なくとも１つは、一部又は枠を除く全部が透視可能に構成されている分割側壁と、全部が透視不可として構成されている分割側壁とのいずれかに取替え可能であるものである。
この発明（Ａ９）のブースは、上記発明Ａ８のブースにおいて、前記枠を除く全部が透視可能に構成されている分割側壁は、少なくとも強化ガラスを用いて構成されているものである。
この発明（Ａ１０）のブースは、上記発明Ａ６又はＡ７のブースにおいて、前記複数の分割側壁の少なくとも１つは、情報通信機器および電源機器がユニット化されて設けられているものである。
この発明（Ａ１１）のブースは、上記発明Ａ１０のブースにおいて、前記情報通信機器および電源機器がユニット化されて設けられている分割側壁の一部に机天板が設けられており、前記床材に利用者が前記机天板に向き合って座るように位置が固定された椅子が設けられているものである。
この発明（Ａ１２）のブースは、上記発明Ａ６のブースにおいて、前記複数の分割側壁の少なくとも１つは、その外周部の全部又は外周部のうち出入口の下部を除く部分に連続して外側にせり出す額縁が設けられているものである。
この発明（Ａ１３）のブースは、上記発明Ａ１又はＡ６のブースにおいて、前記側壁又は前記複数の分割側壁の少なくとも１つは、広告の情報を表示する広告表示手段が設けられているものである。
この発明（Ａ１４）のブースは、上記発明Ａ１又はＡ６のブースにおいて、前記側壁又は前記複数の分割側壁の少なくとも１つは、展示物を設置する透視可能な展示スペース部分が設けられているものである。
この発明（Ａ１５）のブースは、上記発明Ａ６のブースにおいて、前記複数の分割側壁にて構成されるブースが複数並べて連結されるものである。
この発明（Ａ１６）のブースは、上記発明Ａ１５のブースにおいて、前記複数のブースどうしの間を仕切る分割側壁を取り除いた状態で連結されるものである。
【００１２】
この発明（Ａ１７）のブースは、上記発明Ａ７のブースにおいて、前記天井材は、開放形式の天井材と密閉形式の天井材とのいずれかに取替え可能であるものである。
この発明（Ａ１８）のブースは、上記発明Ａ１のブースにおいて、利用者を認証する認証手段と前記内部空間に対する利用者の出入りを検出する人感センサを有し、前記認証手段および人感センサの検出情報に基づいて特定の電気機器への電力の供給および停止を行って管理する電源管理機器が設けられているものである。
この発明（Ａ１９）のブースは、上記発明Ａ１のブースにおいて、前記側壁には、その外面側にブースの利用状況の確認と利用予約を行う表示入力手段が取り付けられているものである。
この発明（Ａ２０）のブースは、上記発明Ａ１のブースにおいて、前記側壁には、料金の支払いが行える支払い手段が取り付けられているものである。
【００１３】
また、この発明（Ｂ１）のブースのキットは、上記発明Ａ１からＡ２０のいずれかのブースを構築する側壁を含む部品を備え、前記部品として少なくとも取替え可能な側壁が含まれているものである。
【発明の効果】
【００１４】
上記発明Ａ１のブースによれば、設置場所、利用形態等の使用条件に対応させて構成内容を変更又は追加することができる。
上記発明Ａ２によれば、種々の使用条件に対応させて構成内容を任意に変更又は追加することができる。
上記発明Ａ３によれば、使用条件に適合した利用者の出入りのしやすさやブースの出入口周辺の安全を確保することができる。
上記発明Ａ４によれば、出入口扉の部分を取り替えることでブースの構成内容を変更又は追加することができる。
上記発明Ａ５によれば、側壁に透視可能な部分が設けられていない場合に比べて、側壁に取り囲まれているという閉塞感を利用者に与えにくくなる。
上記発明Ａ６によれば、複数の分割側壁のうち少なくとも１つを取り替えることでブースの構成内容を変更又は追加することができる。
【００１５】
上記発明Ａ７によれば、床材および天井材の少なくとも一方の取替えが加わることによりブースの構成内容を更に多く変更又は追加することができる。
上記発明Ａ８によれば、分割側壁の取替えによりブース内部の利用者およびブース周辺を通行する通行人の視線の開放又は遮断の選択および変更ができる。
上記発明Ａ９によれば、強度を兼ね備えた透視可能で開放感が得られる分割側壁を含むブースを実現することができる。
上記発明Ａ１０によれば、電気配線の集約化が図れる。
上記発明Ａ１１によれば、利用者が情報通信機器および電源機器を利用する際に行う操作やその利用とともに机天板上で行う作業を容易に行うことができる。
上記発明Ａ１２によれば、ブースの装飾付与および補強の少なくとも一方を実現することができる。
上記発明Ａ１３によれば、利用者への広告機能を付加することができる。
上記発明Ａ１４によれば、利用者とブース周辺を通行する通行人への宣伝機能を付加することができる。
上記発明Ａ１５によれば、一箇所に複数のブースを設置することができる上に、その各ブースの構成内容を分割側壁の取替えによりそれぞれ変更又は追加することができる。
上記発明Ａ１６によれば、内部空間が拡張されたブースを提供することができる。
上記発明Ａ１７によれば、設置場所、利用形態等の使用条件に対応させて天井の構成内容を変更又は追加することができる。
上記発明Ａ１８によれば、利用者の利便性が向上するとともにブースの適切で安全な電源の管理ができる。
上記発明Ａ１９によれば、ブース周辺を通行する通行人のブースの利用がしやすくなる。
上記発明Ａ２０によれば、利用者がブースで料金の支払いを済ませてから利用することができる。
【００１６】
上記発明Ｂ１のブースのキットによれば、設置場所、利用形態等の使用条件に対応させて構成内容を変更又は追加することが可能なブースを構築することができる。
【図面の簡単な説明】
【００１７】
【図１】実施の形態１に係るブースの構成例を示す斜視図である。
【図２】実施の形態１に係るブースの異なる構成例を示す斜視図である。
【図３】実施の形態１に係るブースのキットの構成例を示す斜視図である。
【図４】図１のブースの正面、右側面、背面、左側面および上面から見たときの各外観を示す図である。
【図５】図２のブースの正面、右側面、背面、左側面および上面から見たときの各外観を示す図である。
【図６】（Ａ）は１種類目の正面壁を示す正面図、（Ｂ）は（Ａ）の正面壁のＢ−Ｂ線に沿う概略断面図、（Ｃ）は（Ａ）の正面壁のＣ−Ｃ線に沿う概略断面図である。
【図７】（Ａ）は２種類目の正面壁を示す正面図、（Ｂ）は（Ａ）の正面壁のＢ−Ｂ線に沿う概略断面図、（Ｃ）は（Ａ）の正面壁のＣ−Ｃ線に沿う概略断面図である。
【図８】（Ａ）は１種類目の背面壁を示す背面図、（Ｂ）は（Ａ）の背面壁のＢ−Ｂ線に沿う概略断面図、（Ｃ）は（Ａ）の背面壁のＣ−Ｃ線に沿う概略断面図である。
【図９】（Ａ）は１種類目の左側面壁を示す正面図、（Ｂ）は（Ａ）の左側面壁のＢ−Ｂ線に沿う概略断面図、（Ｃ）は（Ａ）の左側面壁のＣ−Ｃ線に沿う概略断面図である。
【図１０】（Ａ）は２種類目の左側面壁を示す正面図、（Ｂ）は（Ａ）の左側面壁のＢ−Ｂ線に沿う概略断面図、（Ｃ）は（Ａ）の左側面壁のＣ−Ｃ線に沿う概略断面図である。
【図１１】（Ａ）は右側面壁を右側面側から見たときの状態で示す正面図、（Ｂ）は（Ａ）の右側面壁のＢ−Ｂ線に沿う概略断面図、（Ｃ）は（Ａ）の右側面壁のＣ−Ｃ線に沿う概略断面図である。
【図１２】（Ａ）は底材を上方から見たときの状態で示す平面図、（Ｂ）は（Ａ）の床材のＢ−Ｂ線に沿う概略断面図、（Ｃ）は（Ａ）の床材のＣ−Ｃ線に沿う概略断面図である。
【図１３】（Ａ）は１種類目の天井材を上方から見たときの状態で示す平面図、（Ｂ）は（Ａ）の天井材のＢ−Ｂ線に沿う概略断面図、（Ｃ）は（Ａ）の天井材のＣ−Ｃ線に沿う概略断面図である。
【図１４】（Ａ）は図１のブースを示す概略縦断面図、（Ｂ）は（Ａ）のブースのＢ−Ｂ線に沿う概略断面図、（Ｃ）は（Ａ）のブースのＣ−Ｃ線に沿う概略断面図である。
【図１５】（Ａ）は図１のブースを示す概略縦断面図、（Ｂ）は（Ａ）のブースのＢ−Ｂ線に沿う概略断面図、（Ｃ）は（Ａ）のブースのＣ−Ｃ線に沿う概略断面図である。
【図１６】（Ａ）は図２のブースを示す概略縦断面図、（Ｂ）は（Ａ）のブースのＢ−Ｂ線に沿う概略断面図、（Ｃ）は（Ａ）のブースのＣ−Ｃ線に沿う概略断面図である。
【図１７】（Ａ）は図１のブースの設置場所の一例を示す概要図、（Ｂ）は図２のブースの設置場所の一例を示す概要図である。
【図１８】（Ａ）は図２のブースと変形ブースの設置状態を示す概略斜視図、（Ｂ）は（Ａ）のブースと変形ブースの各構成および設置状態を示す概略平面図である。
【図１９】（Ａ）は変形ブースの設置場所および状態を示す概略斜視図、（Ｂ）は（Ａ）の変形ブースの各構成および設置状態を示す概略平面図である。
【図２０】（Ａ）は分割側壁の他の構成例を示す概略正面図、（Ｂ）は（Ａ）の分割側壁のＢ−Ｂ線に沿う概略断面図である。
【発明を実施するための形態】
【００１８】
以下、この発明を実施するための形態について図面を参照しながら説明する。
【００１９】
［実施の形態１］
図１から図３は、この発明の実施の形態１を示すものである。図１および図２は実施の形態１に係るブース１の構成内容が異なる２つの構成例（１Ａ，１Ｂ）を示し、図３は図１のブース１Ａと図２のブース１Ｂを構築することが可能な部品を備えたブースのキット１０の構成例を示している。
各図面中に符号Ｘ，Ｙ，Ｚで示す矢印は、各図面において想定した３次元空間の幅、高さおよび奥行の各方向を示す。
【００２０】
＜ブースの構成＞
実施の形態１に係るブース１Ａ，１Ｂは、図１や図２に示されるように、そのいずれも、利用者が使用する内部空間を取り囲む取替え可能な側壁２とこの側壁２に加えて床材３、天井材４および角部材５とで構成されており、側壁２には１つの出入口扉６が設けられている。
この２つのブース１Ａ，１Ｂは、屋内に設置して使用されるほか、屋外（屋根の有無を問わない）に設置して使用される。この詳細については後述する。
【００２１】
上記側壁２は、正面壁２１、背面壁２２、左側面壁２３および右側面壁２４という４つに分割された分割側壁にて構成されている。
また、上記角部材５は、ブース１Ａ，１Ｂにある少なくとも一部の角部を構成する部材として使用される。実施の形態１における角部材５は、外観が縦長のほぼ長方形からなる正面壁２１および背面壁２２の４隅が曲面形状であることから、その４隅のうち上部２隅の曲面形状に一致させた曲面形状の角部を形成するために使用される。
【００２２】
また、２つのブース１Ａ，１Ｂは、背面壁２２、右側面壁２４、床材３、天井材４および角部材５として互いに同じものを採用しており、この点で構成内容が共通している。
一方、２つのブース１Ａ，１Ｂは、ブース１Ａでは、正面壁２１として出入口扉６Ａが設けられた正面壁２１Ａを採用し、左側面壁２３として出入口扉のない左側面壁２３Ａを採用しているのに対し、ブース１Ｂでは、正面壁２１として出入口扉のない正面壁２１Ｂを採用し、左側面壁２３として出入口扉３Ｂが設けられた左側面壁２３Ｂを採用しており、この点で構成内容が互いに異なっている。
【００２３】
＜キットの構成＞
実施の形態１に係るブースのキット１０は、少なくとも上記２つのブース１Ａ，１Ｂを選択して構築することが可能な側壁２を含む部品を備えているキットである。
つまり、このキット１０は、２つのブース１Ａ，１Ｂの一方を選択して構築することができるが、２つのブース１Ａ，１Ｂを同時に構築することはできない。このため、キット１０は、構成内容が互いに異なるブースを１つ完成されることができる部品を備えていればよいキットであって、構成内容が同じブースを一度に複数完成させることができる部品を備えている必要はないキットである。
このキット１０は、具体的には、図３に示されるように、側壁２、床材３、天井材４および角部材５からなる部品を備えている。このうち側壁２としては、正面壁２１、背面壁２２、左側面壁２３および右側面壁２４の４つの分割側壁で構成された側壁が適用されている。
【００２４】
そして、このキット１０は、部品として少なくとも取替え可能な側壁２を含む構成になっている。
具体的には、キット１０は、側壁２の分割側壁として、右側面壁２４が１種類の右側面壁を備えているにとどまるものの、それ以外の正面壁２１、背面壁２２および左側面壁２３が互いに構成内容の異なる２種類の正面壁２１Ａ，２１Ｂ、背面壁２２Ａ，２２Ｂおよび左側面壁２３Ａ，２３Ｂをそれぞれ備えている。つまり、キット１０は、部品である側壁２の分割側壁として、取替え可能な２種類の正面壁２１Ａ，２１Ｂ、背面壁２２Ａ，２２Ｂおよび左側面壁２３Ａ，２３Ｂを含む構成になっている。
また、キット１０は、床材３として１種類の床材を備えており、天井材４および角部材５として互いに構成内容の異なる２種類の天井材４Ａ，４Ｂおよび角部材５Ａ，５Ｂをそれぞれ備えている。つまり、キット１０は、部品である天井材および角部材として、取替え可能な２種類の天井材４Ａ，４Ｂおよび角部材５Ａ，５Ｂを含む構成にもなっている。
【００２５】
ここで、上記２種類の正面壁２１Ａ，２１Ｂとしては、出入口扉が設けられた形式の１種類目の正面壁２１Ａと、出入口扉がない形式の２種類目の正面壁２１Ｂとが用意されている。また、上記２種類の左側面壁２３Ａ，２３Ｂとしては、出入口扉がない形式の１種類目の左側面壁２３Ａと、出入口扉が設けられた形式の２種類目の左側面壁２３Ｂとが用意されている。
【００２６】
＜２つのブースの関係＞
そして、図１に示すブース１Ａは、図４等に示されるように、キット１０の部品のうちから正面壁２１Ａ、背面壁２２Ａ、左側面壁２３Ａ、右側面壁２４、床材３および天井材４Ａの部品を選択して組み合わせることにより構築することができるブースとなる。このブース１Ａは、例えば、出入口扉が正面の側にあることが求められる使用条件に適したブースの１つになる。
【００２７】
一方、図２に示すブース１Ｂは、図５等に示されるように、ブース１Ａのうちの正面壁２１Ａと左側面壁２３Ａを、キット１０の部品に含まれている正面壁２１Ｂと左側面壁２３Ｂとにそれぞれ取替えることにより構築することができるブースである。このブース１Ｂは、ブース１Ａと比べると、出入口扉の位置が正面の側から左側面の側に変更されて構成内容が異なったブースになる。また、このときのブース１Ｂは、出入口扉の種類も変更されたブースでもある。そして、ブース１Ｂは、例えば、出入口扉が左側面の側にあることが求められる使用条件に適したブースの１つになる。
ちなみに、ブース１Ａについては、先にキット１０から必要な部品（正面壁２１Ｂ、背面壁２２Ａ、左側面壁２３Ｂ、右側面壁２４、床材３および天井材４Ａ）を選択して組み合わせることによりブース１Ｂを構築した場合は、そのブース１Ｂのうちの正面壁２１Ｂと左側面壁２３Ｂを、キット１０の部品に含まれている正面壁２１Ａと左側面壁２３Ａとにそれぞれ取替えることにより構築することができるブースであるともいえる。
【００２８】
＜キットの各部品の構成＞
続いて、キット１０における側壁２の分割側壁等の各部品について説明する。
【００２９】
はじめに、１種類目の正面壁２１Ａは、出入口扉が設けられた形式の正面壁である。この正面壁２１Ａは、図６等に示されるように、外周枠２１１と、外周枠２１１の正面側から見たときの右側の約半分の開口部分に設けられる固定正面部２１２と、外周枠２１２の正面側から見たときの左側の残りの開口部分（出入口）に移動可能に設けられた出入口扉６Ａとで構成された構造の分割側壁である。
【００３０】
このうち外周枠２１１は、縦長のほぼ長方形の枠状に組み立てられた金属等の材料からなる枠材である。また、外周枠２１１は、外部に露出する部分に図示しない外周面材を設けて覆っている。
固定正面部２１２は、透視可能な固定正面部２１２Ａとして構成されており、例えば無色透明又は有色透明な強化ガラス２１３を用いて形成されている。
ここで、透視可能とは、視線の先にある介在物を透かしてその介在物の反対側にある物を見たとき、その物の輪郭や細かい部分（文字等の情報）が正確に判別できる程度に見える（視認できる）状態のことをいう。
【００３１】
出入口扉６Ａは、透視可能な扉として構成されており、その扉本体を例えば無色透明な強化ガラス６１を用いて形成されている。
また、出入口扉６Ａは、外周枠２１１の出入口となる左側開口部分と固定正面部２１２Ａの背面側との間で往復移動させることにより出入口を開閉する引き戸式の扉が適用されている。この出入口扉６Ａは、その上部が外周枠２１１の上辺部に吊り下げられた状態で移動可能に支持される一方で、その下部が外周枠２１１の下辺部に形成した案内レール２１４に案内されるよう取り付けられている。
さらに、出入口扉６Ａは、その左側の端部側に扉の外側（外部）および内側（内部）に突出する取っ手等の把持部６２、施錠部６３等が設けられている。施錠部６３は、例えば、ブース外部から後述する認証手段（８２１）による利用者を認証して検出した情報に基づいて電動式に開錠および施錠を行う電気鍵で構成されている。また、施錠部６は、ブース内部から利用者の手動による開錠および施錠を行うことができる構成にもなっている。
【００３２】
また、この正面壁２１Ａは、外周枠２１１の外側に額縁（所謂ベゼル）２８が設けられている。
正面壁２１Ａにおける額縁２８は、外周枠２１１のうち出入口扉６Ａを設ける出入口の下部（出入口の下部で途切れている部分）を除く部分に連続して外側にせり出す形状の額縁２８Ａである。この額縁２８Ａは、例えば、外周枠２１１の外側において４隅が円弧状の曲面形状からなる縦長のほぼ長方形をなす外形線を形成して正面側に突出した外周面部２８１と、外周面部２８１から縦長のほぼ長方形をなす外形線の内側にその外周面部２８１から次第に離れる方向に傾斜する傾斜内面部２８２を有する形状のものを適用している。
このような額縁２８Ａを設けた場合は、正面壁２１Ａそのものやひいてはブース１Ａの装飾の付与や補強の少なくとも一方が可能になる。
【００３３】
２種類目の正面壁２１Ｂは、出入口扉が設けられていない形式の正面壁である。この正面壁２１Ｂは、図７等に示されるように、外周枠２１１と、外周枠２１１の開口部の全体に設けられる固定正面部２１５と、外周枠２１１の外側に設けられる額縁２８とで構成された構造の分割側壁である。
【００３４】
このうち外周枠２１１は、正面壁２１Ａにおける外周枠２１１と同じものである。固定正面部２１５は、外周枠２１１との取付け部分を除く部分が透視可能な固定正面部２１５Ａとして構成されており、例えば無色透明又は有色透明な強化ガラス２１３を用いて形成されている。
額縁２８は、外周枠２１１の外側の全部（全周）に連続して設けられる額縁２８Ｂである。この額縁２８Ｂは、途中で途切れておらず全部に連続して設けられている点で異なる以外は正面壁２１Ａにおける額縁２８Ａと同じ構成からなるものである。
このような額縁２８Ｂを設けた場合は、正面壁２１Ｂそのものやひいてはブース１Ａの化粧（装飾性）の付与や補強の少なくとも一方が可能になる。
【００３５】
次いで、１種類目の背面壁２２Ａは、その背面の全部が透視不可の背面壁として構成されている。この背面壁２２Ａは、図８等に示されるように、所要の形状に組み立てられた骨組み材２２１と、骨組み材２２１の内側に取り付けられる内面材２２２と、骨組み材２２１の外側に取り付けられる外面材２２３とで構成される構造の分割側壁である。
ここで、透視不可とは、視線の先にある介在物を透かしてその介在物の反対側にある物を見たとき、その物がまったく見えない場合である。なおこの明細書等では、透視不可には、その物の輪郭や細かい部分（文字等の情報）がぼやけて判別できない場合を含むことにする。
【００３６】
このうち骨組み材２２１は、複数の柱状部材、板状部材等の構造材を連結させて例えば格子状等の所要の形に組み立てた骨組みである。
内面材２２２は、４隅を円弧状の曲線角部にした縦長のほぼ長方形の形状からなる平板状（パネル状）の板材である。内面材２２２は、金属、合成樹脂等の材料で形成されている。また、内面材２２２は、少なくともブースの内部空間に向く側の面（内壁面）に、図示しない必要な内装材が貼り付け等により設けられている。この内面材に内装材が設けられる点は、後述する他の分割側壁等の部品における内面材の場合も同様である。
外面材２２３は、４隅を円弧状の曲線角部にした縦長のほぼ長方形の形状からなる平板状（パネル状）の板材である。外面材２２３は、金属、合成樹脂等の材料で形成されている。また、外面材２２３は、外側に向く面（外壁面）に、図示しない必要な外装材が貼り付け等により設けられている。この外面材に外装材が設けられる点は、後述する他の分割側壁等の部品における外面材の場合も同様である。
また、内面材２２２と外面材２２３は、不透明な面材が適用されている。さらに、内面材２２２と外面材２２３の各外周端どうしの間であって骨組み材の厚さ分だけ離れている部分には、その各外周端どうしを接続するように図示しない外周面材が設けられている。
【００３７】
２種類目の背面壁２２Ｂは、透視可能な背面壁として構成されている。この背面壁２２Ｂは、図３に示されるように、２種類目の正面壁２１Ｂ（図７等）とほぼ同様の構成からなるものである。また、この背面壁２２Ｂは、図示しない外周枠と、外周枠の開口部に設けられる透視可能な固定背面部２２６とで構成される構造の分割側壁である。
【００３８】
このうち外周枠は、正面壁２１Ａ，２１Ｂにおける外周枠２１１と同じものである。固定背面部２２６は、外周枠との取付け部分を除く部分が透視可能である固定背面部２２６Ａとして構成されており、正面壁２１Ｂにおける透視可能な固定正面部２１５Ａの場合と同様に、例えば無色透明又は有色透明な強化ガラスを用いて形成されている。
また、背面壁２２Ｂは、その外周枠の外側に、２種類目の正面壁２１Ｂの場合と同様に額縁２８Ｂが設けられている。
【００３９】
次いで、１種類目の左側面壁２３Ａは、その全部が透視不可な左側面壁として構成されている。この左側面壁２３Ａは、図９等に示されるように、所要の形状に組み立てられた骨組み材２３１と、骨組み材２３１の内側に取り付けられる内面材２３２と、骨組み材２３１の外側に取り付けられる外面材２３３とで構成される構造の分割側壁である。
【００４０】
このうち骨組み材２３１は、１種類目の背面壁２２Ａにおける骨組み材２２１とほぼ同様の構成からなる骨組みである。また、左側面壁２３Ａは、その下端部が内側に向けて円弧状に曲がった形状の下端部２３４として構成されているので、その曲がった形状の下端部２３４を形成する骨組み材２３１として、その曲がった形状に対応した形状の骨組み材２３１Ａを適用している。
内面材２３２は、１種類目の背面壁２２Ａにおける内面材２２２とほぼ同様の構成からなる板材が使用される。また、内面材２３２は、左側面壁２３Ａにおける曲がった形状の下端部２３４に設ける内面材２３２としては、円弧状に曲がった曲面からなる板材が適用される。
外面材２３３は、１種類目の背面壁２２Ａにおける外面材２２３とほぼ同様の構成からなる板材が使用される。そのうち曲がった形状の下端部２３４に設ける外面材２３３としては、円弧状に曲がった曲面からなる板材が適用される。
また、この内面材２３２と外面材２３３は、不透明な面材が適用されている。さらに、内面材２３２と外面材２３３の各外周端どうしの間であって骨組み材の厚さ分だけ離れている部分には、その各外周端どうしを接続するように図示しない外周面材が設けられている。
【００４１】
２種類目の左側面壁２３Ｂは、出入口扉が設けられた形式の正面壁である。この左側面壁２３Ｂは、図１０等に示されるように、外周枠２３５と、外周枠２１１の開口部分（出入口）に揺動可能に設けられた出入口扉６Ｂで構成された構造の分割側壁である。
【００４２】
このうち外周枠２３５は、１種類目の正面壁２１Ａにおける外周枠２１１とほぼ同様に、縦長の長方形の枠状に組み立てられた金属等の材料からなる枠材である。また、左側面壁２３Ｂは、その下端部が内側に向けて円弧状に曲がった形状の下端部２３８として構成されているので、その曲がった形状の下端部２３８を形成する骨組み材２３５として、その曲がった形状に対応した形状の骨組み材２３５Ａを適用している。
また、外周枠２３５は、外部に露出する部分（内側および外側の部位を含む）に内装材２３６や外装材２３７や図示しない外周面材を設けて覆っている。また、このときの内装材２３６や外装材２３７は、左側面壁２３Ｂにおける曲がった形状の下端部２３８に設ける内面材２３６や外装材２３７としては、円弧状に曲がった曲面からなる板材が適用される。
【００４３】
出入口扉６Ｂは、透視不可な扉として構成されている。この出入口扉６Ｂは、例えば建具としての扉を適用することができる。この出入口扉６Ｂは、具体的に、縦長の長方形に組まれた骨組み材と、その骨組み材の内側と外側に設けられる透視不可の板材からなる内面材および外面材とからなる構造の扉を適用している。
また、出入口扉６Ｂは、外周枠２３５の出入口となる開口部分の上辺部および下辺部に設定する支点を中心にして揺動させることにより出入口を開閉する開き戸式の扉が適用されている。この出入口扉６Ｂは、図１０（Ａ）に示されるように外周枠２３５の開口部分の上辺部および下辺部のうち外側（左側面側）から見たときの左端部に設けた支持軸（又は支持孔）６５に支持されるとともに、図１０（Ｃ）に示されるようにその支持軸（又は支持孔）６５を支点にして揺動するよう取り付けられている。
さらに、出入口扉６Ｂは、その右側の端部側に扉の外側（外部）および内側（内部）に突出する取っ手等の把持部６６、施錠部６７、通気孔６８等が設けられている。施錠部６７は、出入口扉６Ａにおける施錠部６３の場合と同様に、例えば、認証情報で作動する電動式の電気鍵で構成されているとともに、ブース内部での利用者の手動による開錠および施錠ができる構成にもなっている。
【００４４】
次いで、右側面壁２４は、その背面の全部が透視不可の右側面壁として構成されている。この右側面壁２４は、図１１等に示されるように、所要の形状に組み立てられた骨組み材２４１と、骨組み材２４１の内側に取り付けられる内面材２４２と、骨組み材２４１の外側に取り付けられる外面材２４３とで構成される構造の分割側壁である。
【００４５】
このうち骨組み材２４１は、左側面壁２３Ａにおける骨組み材２３１とほぼ同様の構成からなる骨組みである。また、右側面壁２４は、その下端部が内側に向けて円弧状に曲がった形状の下端部２４４として構成されているので、その曲がった形状の下端部２４４を形成する骨組み材２４１として、その曲がった形状に対応した形状の骨組み材２４１Ａを適用している。
内面材２４２は、左側面壁２３Ａにおける内面材２３２とほぼ同様の構成からなる板材が使用される。また、内面材２４２は、右側面壁２４における曲がった形状の下端部２４４に設ける内面材２４２としては、円弧状に曲がった曲面からなる板材が適用される。
外面材２４３は、左側面壁２３Ａにおける外面材２３３とほぼ同様の構成からなる板材が使用される。そのうち曲がった形状の下端部２４４に設ける外面材２４３としては、円弧状に曲がった曲面からなる板材が適用される。
また、この内面材２４２と外面材２４３は、不透明な面材が適用されている。さらに、内面材２４２と外面材２４３の各外周端どうしの間であって骨組み材の厚さ分だけ離れている部分には、その各外周端どうしを接続するように図示しない外周面材が設けられている。
【００４６】
また、この右側面壁２４は、図１１等に示されるように、その上部に内側に開口して所要の設備品を収容する凹部空間を有する２つの収容部２４５Ａ，２４５Ｂが設けられており、その下部に通気孔２４６が設けられている。
【００４７】
２つの収容部２４５Ａ，２４５Ｂは、右側面壁２４における内面材２４２の一部に開口を設けるとともにその開口に合わせて組み材２４１で囲んで形成する矩形の区画部分に枠材を嵌め入れて形成される窪んだ部分である。また、この収容部２４５Ａ，２４５Ｂは、図示しない透明又は不透明の蓋で塞ぐように構成されている。
また、通気孔２４６は、右側面壁２４における内面材２４２および外面材２４３の一部を矩形状に開設して貫通させた部分である。
【００４８】
次いで、床材３は、図１２等に示されるように、骨組み材３１１と、骨組み材３１１の上側に取りけられる床板３１２と、骨組み材３１１の周囲を下方に突出させた状態で取り囲む周壁材３１３とで構成されている。
【００４９】
このうち骨組み材３１１は、例えば左側面壁２３Ａにおける骨組み材２３１とほぼ同様の構成からなる骨組みである。
この骨組み材３１１は、長方形の形に組んだ骨組みの外周部における４隅に、床材３ひいてはブース１Ａ，１Ｂを設置する床面２００に対する高さを調節したうえで固定して設置するための高さ調節脚（アジャスタ）３５が設けられている。
床板３１２は、金属、合成樹脂、木材等の材料からなる板材である。床板３１２には、その上面（床面）に用途等に応じてタイルカーペット等の表面材が配置される。
また、床板３１２は、その下面における４隅の内側に、床材３単独又はブース１Ａ，１Ｂを移動させる際に使用することが可能なキャスタ３６が設けられている。
【００５０】
次いで、１種類目の天井材４Ａは、開放形式の天井材として構成されている。この天井材４Ａは、図１３等に示されるように、長方形の枠形状に組まれた外周枠４１１と、外周枠４１１の開口部に取り付けられる開口型部材４１２とで構成される構造のものである。
【００５１】
このうち外周枠４１１は、１種類目の正面壁２１Ａにおける外周枠２１１とほぼ同様に、例えば長方形の枠形状に組み立てられた金属等の材料からなる枠材である。
また、開口型部材４１２は、複数の開口部が設けられた金属、合成樹脂等の材料からなる部材である。開口型部材４１２としては、例えば、格子パネル（面格子）、メッシュ（網目）パネル等の部材が適用される。実施の形態１では、碁盤目状に区画された矩形の開口部が形成された格子パネルを適用している。開口型部材４１２は、通気部として機能するほか、採光部としても機能する。
【００５２】
２種類目の天井材４Ｂは、図３に示されるように、密閉形式の天井材として構成されている。この天井材４Ｂは、例えば、図示しない骨組み材と、その骨組み材の下面側に設ける内面材と、その骨組み材の上面側に設ける外面材とで構成される構造の天井材である。
【００５３】
このうち骨組み材は、１種類面の右側面壁２３Ａにおける骨組み材２３１とほぼ同じ構成からなるものである。また、内面材と外面材は、透視不可になる非透明の材料からなる板材である。内面材には、使用条件に応じて内装材が設けられる。外面材には、使用条件に応じて外装材が設けられる。
【００５４】
最後に、角部材５Ａ，５Ｂはいずれも、前述したように正面壁２１および背面壁２２の曲面形状からなる４隅のうちの上部２隅の曲面形状に一致させることが可能でかつ少なくとも左側面壁２３、右側面壁２４および天井材４との結合を可能にした構造材である。
角部材５Ａ，５Ｂは、図示しない骨組み材と、その骨組み材の内側および外側に設ける内面材および外面材とで構成されている。また、この２種類の角部材５Ａ，５Ｂは、正面壁２１および背面壁２２に対して接合固定する部分が相反する端部に配置されている点で異なるだけで、その他の点については同じ構成になっている。
【００５５】
＜キットの各部品における設備品の構成＞
ブース１Ａ，１Ｂを構築し得るキット１０の各部品には、以下に説明するような設備品７が設けられている。
【００５６】
実施の形態１では、２つのブース１Ａ，１Ｂが同じ設備品７を有するブースになるよう構成されている。ここでは一時的に、出入口扉６を設備品７から除外して説明する。
まず、ブース１Ａ，１Ｂにおける右側面壁２４には、その内壁面に、図１、図２、図１４（Ａ）、図１５（Ａ）、図１６（Ａ）等に示されるように、設備品７の１例である机天板７１とモニター画面装置７２が設けられている。
【００５７】
机天板７１は、常に使用できるよう固定された状態で設置されている。ただし、この机天板７１は、例えば、内壁面に押し付けた状態にして収容した状態（一時的に畳んだ状態）にできるように設置してもよい。モニター画面装置７２は、利用者が持参したノートパソコンやタブレット等の機器で主力する画像を大画面で映し出すために使用されるものである。このモニター画面装置７２は、上下方向や水平方向の角度や向きを微調節できるよう取り付けられている。
【００５８】
また、右側面壁２４には、その収容部２４５Ａ，２４５Ｂに、図１、図２、図１５（Ａ）等に示されるように、設備品７の１例である電気機器７３の一部が配分されて設けられている。
また、右側面壁２４の内壁面の一部や机天板７１の両脇には、図１４や図１６に示されるように、設備品７の一例としての電源供給や接続端子との接続を行う接続タップ７７が設けられている。
さらに、右側面壁２４における通気孔２４６には、図１１に示されるように、設備品７の１例である排気用の換気扇７８が設けられることがある。
【００５９】
電気機器７３としては、例えば、有線式又は無線式のルータ、ゲートウェイ等の情報通信機器７３１や、電源分配器、変圧器等の電源機器７３２や、情報通信機器７３１、電源機器７３２、モニター画面装置７２、後述する他の機器等の動作を制御する制御機器７３３、特定の電気機器への電力の供給および停止を行って管理する電源管理機器７３４等である。制御機器７３３における他の機器とは、例えば、出入口扉６Ａ，６Ｂにおける施錠部６３，６６の電気錠、後述の表示入力ボックス（８２）である。また、電源管理機器７３４における特定の電気機器とは、例えば、モニター画面装置７２、接続タップ７７、照明器具７６、換気扇７８等であるが、特にこれらに限定されない。
収容部２４５Ａ，２４５Ｂには、これらの情報通信機器７３１、電源機器７３２、制御機器７３３、電源管理機器７３４等の電気機器７３が種類別や機能別にユニット化されて振り分けられた状態で配置されている。このように電気機器７３が配置されていることにより、電気配線や機能の集約化が図れる。
また、接続タップ７７は、例えば、電源コンセント、充電用接続端子、映像・音声信号の入力用接続端子等の末端部品又は端子が配置されている。この接続タップ７７は、上記電気機器７３の電源機器７３２や制御機器７３３（モニター画面装置７２）に接続されている。
【００６０】
次いで、ブース１Ａ，１Ｂにおける床板３１２には、図１から図３、図１２、図１４、図１６等に示されるように、その上面におけるほぼ中央の位置に、設備品７の一例である椅子７４が設けられている。
【００６１】
この椅子７４は、ブース１Ａ，１Ｂ（の内部空間）を利用する利用者が座るための椅子である。
また、椅子７４は、その支持脚７４ａが、床板３１２の上面のほぼ中央の位置に突出するよう設けられた固定治具３７に対して固定されている。これにより、椅子７４は、その位置が固定されている。また、椅子７４は、利用者が机天板７１やモニター画面装置７２に向き合って座るような位置に配置されて固定されている。さらに、椅子７４は、その支持脚７４ａの上において座面の高さや背もたれの角度等を微調節することができる仕組みになっている。
【００６２】
次いで、ブース１Ａ，１Ｂにおける天井材４Ａには、図１３、図１５等に示されるように、その内側に設備品７の一例である消化設備品７５の一部である感知器７５１，７５２や消火剤放出部７５３が設けられている。
また、ブース１Ａ，１Ｂにおける背面壁２２Ｂには、図４、図５、図８、図１４、図１６等に示されるように、その外壁面に消化設備品７５の一部である消化剤供給装置７５５が取り付けられている。
【００６３】
感知器７５１，７５２は、例えば煙感知器、熱感知器等であり、例えば開口型部材４１２の内側面（天井面）に取り付けられる。なお、熱感知器７５２には、例えばブースの内部空間に入った利用者の存在を検知する人感センサの機能が備えられている。人感センサについては、感知器とは別に独立して分割側壁か又は天井材４に設けるものを適用してもよい。また、消火剤放出部７５３は、例えば消化剤が放出されるノズル等であり、例えば開口型部材４１２の隅部に取り付けられる。
この感知器７５１，７５２は、背面壁２２Ａに取り付けられる上記消火剤供給装置７５５に導電線７５６を介して接続されており、その感知した情報により消火剤供給装置７５５を作動させるようになっている。また、消火剤放出部７５３は、上記消火剤供給装置７５１に配管７５７を介して接続されており、消火剤供給装置７５５から供給される消火剤をブース１の内部空間内に放出させるようになっている。
【００６４】
また、天井材４Ａには、図１３や図１５等に示されるように、例えば外周枠４１１の一部に設備品７の一例である照明器具７６が設けられている。
照明器具７６は、ブースの内部空間を照明する設備品である。実施の形態１における照明器具７６は、外周枠４１１の一部の下面に設けた溝部に埋め込むような状態で取り付けされている。
【００６５】
２種類目の天井材４Ｂにも、その例えば内面材の一部に、天井材４Ａの場合と同様に、図示しない設備品７の一例である消化設備品７５の一部である感知器７５１，７５２や消火剤放出部７５３が設けられる。また、天井材４Ｂには、例えばその骨組み材の一部に、天井材４Ａの場合と同様に、図示しない設備品７の一例である照明器具７６が設けられる。
【００６６】
次いで、ブース１Ａ，１Ｂにおける背面壁２２Ａには、図１、図２、図１４（Ａ）、図１６（Ａ）等に示されるように、その内壁面に設備品７の一例として操作・調整パネル部７９や広告表示パネル部８１が設けられている。
【００６７】
操作・調整パネル部７９は、照明器具７６のオンオフ操作、照度調整や、広告表示パネル部８１のオンオフ操作や、換気扇７８等の他の電気機器のオンオフ操作、動作調整等を行う専用のスイッチ７９１が必要な数だけ配置されている。操作・調整パネル部７８は、電気機器７３をはじめ操作・調整が行われる対象になる他の設備品７に接続されている。また、操作・調整パネル部７９は、利用者が手を伸ばして手軽に使えるようにする観点から、例えば机天板７１や椅子７４から近い位置（背面壁の左側面壁寄りの部位）に配置されている。
広告表示パネル部７９は、主にブースの利用者に知らせる広告情報を文字や映像等の表示内容で表示するものである。この広告表示パネル部７９は、液晶パネル等の表示機器で構成されている。この広告表示パネル部７９は、例えば、電気機器７３における情報通信機器７３１や制御機器７３３に接続されて広告情報の受信や制御が行われることにより作動するようになっている。
【００６８】
次いで、ブース１Ａにおける左側面壁２２Ａとブース１Ｂにおける左側面壁２２Ｂには、図１、図２、図４、図５等に示されるように、設備品７の一例である表示入力ボックス８２が設けられている。
【００６９】
この表示入力ボックス８２は、ブースの利用者やブースの利用に関心を示す者が操作して表示・入力・読み取り等の所要の操作を行う機能を備えたものである。この表示入力ボックス８２は、表示部、入力部、読取部等の操作に必要な機能部分が配置されて構成されている。
また、表示入力ボックス８２は、図１４（Ｂ）や図１６（Ｂ）に示されるように、利用者の認証を行う認証手段８２１や、利用者が料金の支払いを行う支払い手段８２２を備えている。認証方式や支払い方式は、設置環境等によって適宜選定される。さらに、表示入力ボックス８２は、この他にも例えば、ブースの利用状況を確認することや利用の予約を行う受付手段８２３等を付加して構成することもできる。
なお、上記電源管理機器７３４は、この表示入力ボックス８２における認証手段８２１の検出情報と天井材４Ａ，４Ｂにある熱感知器７５２における人感センサの検出情報とに基づいて上記特定の電気機器への電力の供給又はその停止を行うように作動する。
【００７０】
＜ブースの組み立て＞
ブース１Ａは、キット１０の部品を用いて最初に構築する１つのブースである場合には、図１や図４等に示されるように、側壁２の分割側壁である正面壁２１Ａ，背面壁２２Ａ，左側面壁２３Ａおよび右側面壁２４と、床材３、天井材４Ａおよび角部材５Ａ，５Ｂを、その接合し合う外周枠や骨組み材の各部分においてボルト、ナット等の固定解除が可能な固定手段により連結固定することで組み立てられる。
このときの組み立ての手順としては、例えば、床材３に対して正面壁２１Ａ，背面壁２２Ａ，左側面壁２３Ａおよび右側面壁２４を接合させて連結固定した後、角部材５Ａ，５Ｂと天井材４Ａをこの順で取り付けて連結固定するという順番である。
【００７１】
一方、ブース１Ｂは、キット１０の部品を用いて最初に構築する１つのブースである場合には、図２や図５等に示されるように、側壁２の分割側壁である正面壁２１Ｂ，背面壁２２Ａ，左側面壁２３Ｂおよび右側面壁２４と、床材３、天井材４Ａおよび角部材５Ａ，５Ｂを、その接合し合う外周枠や骨組み材の各部分においてボルト、ナット等の固定解除が可能な固定手段により連結固定することで組み立てられる。
【００７２】
＜ブースの側壁の取替えによる組み立て＞
ブース１Ｂは、キット１０の部品から先にブース１Ａを選択して組み立てた場合には、そのブース１Ａにおける正面壁２１Ａおよび左側面壁２３Ａを固定解除が可能な固定手段の固定を解除してから取り外した後、その正面壁２１Ａと左側面壁２３Ａに代えて、キット１０の部品である正面壁２１Ｂおよび左側面壁２３Ｂをその固定手段で改めて連結固定することにより、組み立てることも可能である。
一方のブース１Ａについても、キット１０の部品から先にブース１Ｂを選択して組み立てた場合には、そのブース１Ｂにおける正面壁２１Ｂおよび左側面壁２３Ｂを固定解除が可能な固定手段の固定を解除して取り外した後、その正面壁２１Ｂと左側面壁２３Ｂに代えて、キット１０の部品である正面壁２１Ａおよび左側面壁２３Ａをその固定手段で改めて連結固定することにより、組み立てることも可能である。
この２つのブース１Ａ、１Ｂは、その組み立ての前後で比較すると、出入口扉６の位置および種類が変更されることになり、これにより構成内容の一部が異なるブースになる。
【００７３】
また、組み立てられたブース１Ａは、図１、図１４、図１５等に示されるように、側壁２の分割側壁である正面壁２１Ａ，背面壁２２Ａ，左側面壁２３Ａ，右側面壁２４により周囲を取り囲まれた立方体（四角柱）状の内部空間が形成されたブースになる。また、このブース１Ａは、その内部空間がその上下も床材３と天井材４Ａによって囲まれた状態の内部空間になる。
また、組み立てられたブース１Ｂは、図２、図１５、図１６等に示されるように、側壁２の分割側壁である正面壁２１Ｂ，背面壁２２Ａ，左側面壁２３Ｂ，右側面壁２４により周囲を取り囲まれて、ブース１Ａの内部空間とほぼ同様に立方体（四角柱）状の内部空間が形成されたブースになる。また、このブース１Ｂも、ブース１Ａの内部空間と同様に、その内部空間がその上下も床材３と天井材４Ａによって囲まれた状態の内部空間になる。
【００７４】
＜ブースの利用＞
２つのブース１Ａ、１Ｂは、後述するように利用者の予約により利用することができるブースとして使用されるが、両ブース１Ａ、１Ｂを対比させた場合、その各内部空間に対する利用者の出入りの仕方が異なる。
【００７５】
すなわち、ブース１Ａの場合は、利用者がブース外部から正面壁２１Ａにある引き戸式の出入口扉６Ａを図中の右側にスライドさせることで正面壁２１Ａの左側半分に開口する出入口が開いた状態になり、ブース１Ａの正面側から内部空間に入ることになる。また、利用者がブース内部から出入口扉６Ａを図中の左側にスライドさせることで正面壁２１Ａの上記出入口が開いた状態になり、内部空間からブース１Ａの正面側に出ることになる。
これに対してブース１Ｂの場合は、利用者がブース外部から左側面壁２３Ｂにある開き戸式の出入口扉６Ｂを左側面壁２３Ｂの外側に揺動させることで左側面壁２３Ｂのほぼ全部が開口する出入口が開いた状態になり、ブース１Ｂの左側面側から内部空間に入ることになる。また、利用者がブース内部から出入口扉６Ｂをブース外部にむけて揺動させることで左側面壁２３Ｂの上記出入口が開いた状態になり、内部空間からブース１Ｂの左側面側に出ることになる。
ちなみに、ブース１Ａ、１Ｂでは、そのいずれも利用者がブース１Ａ、１Ｂの前で表示入力ボックス８２における認証手段８２１による認証手続きを受け、その認証が認められた検出情報に基づいて各出入口扉６Ａ，６Ｂにおける施錠部６３，６７の電気錠が開錠されたときに、はじめて出入口扉６Ａ，６Ｂを開けることが可能になる。
【００７６】
また、２つのブース１Ａ、１Ｂは、対比させた場合、その各内部空間の状態と設備品の内容がほぼ共通している。
【００７７】
まず、ブース１Ａ、１Ｂにおける内部空間は、各ブースの正面側が透視可能な正面壁２１Ａ，２１Ｂになっている。このため、ブース１Ａ、１Ｂにおける内部空間は、４つの分割側壁２１Ａ，２２Ａ，２３Ａ，２４（又は分割側壁２１Ｂ，２２Ａ，２３Ｂ，２４）に取り囲まれているという閉塞感を利用者に与えにくく、開放的な空間である。その一方で、内部空間が四方および上下で取り囲まれているので、利用者はブース外部とは遮断された内部空間で所要の作業を気楽に行うことが可能になる。
また、ブース１Ａ、１Ｂでは、図６や図７に示されるように正面壁２１Ａ，２１Ｂの透視可能な部分が強化ガラス２１３を用いて構成されている。このため、ブース１Ａ、１Ｂにおける正面壁２１Ａ，２１Ｂは、強度を兼ねた透視可能な分割側壁になり、安全性も確保される。
【００７８】
なお、ブース１Ａ、１Ｂでは、正面壁２１Ａ，２１Ｂのほぼ全部が透視可能に構成されているので利用者がブース周辺を通行する通行人の視線を避けたい利用形態がある場合、次のように対応することができる。
【００７９】
１つは、ほぼ全部が構成された正面壁２１Ａ，２１Ｂを、全部が透視不可として構成された正面壁２１に取替えればよい。これにより、ブース１Ａ、１Ｂの構成内容が変更され、特に内部空間に対する通行人の視線が遮断される。
ちなみに、ブース１Ａ、１Ｂは、分割側壁の一部に、ブース外部から内部空間内の利用者の有無や状態を簡単に確認するための透視可能な部分を設けることが望ましい。その一方で、例えば内部空間内に利用者が居るときにブース外部に使用中の表示を行う表示手段や、利用者の存在や様子を別途確認できる手段を採用した場合は、分割側壁に透視可能な部分がない構成内容を採用しても構わない。
またもう１つは、図１から図３に例示されるように、ほぼ全部が透視可能に構成された正面壁２１Ａ，２１Ｂの内壁面に、視線を遮断して透視不可にできる視線遮断用のシート又はフィルム９１を貼り付けた種類の正面壁２１に取替えればよい。これによっても、ブース１Ａ、１Ｂの構成内容が変更され、通行人の視線が遮断される。
この際、視線遮断用のシート又はフィルム９１としては、不透明な材質のものや、擦りガラス風の特性のもの等が適用される。また、視線遮断用のシート又はフィルム９１の張りつける位置や大きさ（面積）については、使用条件によって異なるので任意である。
以上の対応を採用した場合、ブース１Ａ、１Ｂの利用者は、人目を気にせず作業に集中（没頭）することが可能になる。また、利用者は、作業中の情報がブース外部から通行人等により読み取られて漏れてしまうというおそれがなくなり、情報漏えいに対するセキュリティーが担保されるようになる。
【００８０】
次に、ブース１Ａ、１Ｂにおける内部空間は、床材３にある椅子７４が、机天板７１やモニター画像装置７２、電気機器７３等が設けられている右側面壁２４の内壁面に向き合うように位置が固定されている。
このため、ブース１Ａ、１Ｂにおける内部空間では、利用者が椅子７４に座ると、右側面壁２４の内壁面における机天板７１やモニター画像装置７２等に自然に向き合う状態になる。これにより、利用者は、く机天板７１上での作業に容易に入りやすくなる。また、利用者は、モニター画像装置７２や電気機器７３（情報通信機器７３１等）を利用する際に必要になる操作作業も容易に開始しやすくなる。
【００８１】
また、ブース１Ａ、１Ｂにおける内部空間は、利用者が認証手段８２１による認証手続きを受けて天井材４Ａにある熱感知器７５２における人感センサ等により検出されると、右側面壁２４の収容部２４５Ｂに収容されている電源管理機器７３４が次のように作動する。
すなわち、このときのブース１Ａ、１Ｂの内部空間では、電源管理機器７３４によりモニター画像装置７２、照明器具７６、接続タップ７７、換気扇７８等の電気機器に電力が自動的に供給され、その電気機器が始動した状態や使用可能な状態になる。これにより、例えば、その内部空間が照明により明るくなり、積極的な換気がされて快適になり、モニター画像装置７２や接続タップ７７の利用が可能になる。
また、ブース１Ａ、１Ｂにおける内部空間は、利用者が入った後に人感センサにより所要の時間だけ利用者の存在が検出されないと、電源管理機器７３４が次のように作動する。
すなわち、このときのブース１Ａ、１Ｂの内部空間では、電源管理機器７３４により先の電気機器への電力の供給が自動的に停止し、その電気機器が停止した状態や使用不可の状態になる。これにより、ブース１Ａ、１Ｂに対する電力供給が適切に管理されて電気機器による電力消費が抑制される。
以上により、利用者の内部空間への出入りに対応して一部の電気機器への電力の供給やその供給の停止が自動的になされるので、利用者の利便性が確保される。また、利用者は、内部空間内でも情報通信機器７３１を介してインターネットによる通信が可能になるので、ブース外部と快適に情報のやり取りが可能となって作業内容を充実させることも可能になる。
【００８２】
次に、ブース１Ａ、１Ｂはいずれも、開口型部材４１２を備えた開放形式の天井材４Ａを使用している。
このため、ブース１Ａ、１Ｂにおける内部空間は、その上方側においても少し開放感が得られるようになり、また開口型部材４１２を通した換気が行われるようになる。
【００８３】
なお、ブース１Ａ、１Ｂでは、開放形式の天井材４Ａを、キット１０における密閉形式の天井材４Ｂに取替えることが可能である。
これにより、ブース１Ａ、１Ｂは、天井材の構成内容を変更することが可能になる。
また、密閉形式の天井材４Ｂに取替えた後のブース１Ａ、１Ｂの内部空間は、例えば遮音性や遮熱性が向上する。このため、利用者は、ブース外部の雑音から開放されるようになり、また、ブース周囲の通行人による盗み聞き等の心配のない通話や雑音のない快適な音楽鑑賞が可能になる。また、内部空間の温度が保たれやすくなる。
【００８４】
次に、ブース１Ａ、１Ｂの背面壁２２Ａには、操作・調整パネル部７９や広告表示パネル部８１が設けられている
このため、ブース利用者は、利用中に、照明器具７６のオンオフ操作、照度調整や、広告表示パネル部８１のオンオフ操作や、換気扇７８等の他の電気機器のオンオフ操作、動作調整等を自由に行うことが可能になる。これにより、ブースの利用者は、内部空間を自ら快適な空間に調整することが可能になる。
また、ブース利用者は、利用中に広告表示パネル部８１に表示される広告情報を得ることが可能になる。これにより、ブース１Ａ、１Ｂは、利用者への広告機能が付加された内部空間になる。
【００８５】
次に、ブース１Ａ、１Ｂには、天井材４Ａ等に消化設備品７５が配置されている。
このため、仮にブース１Ａ、１Ｂの内容空間において利用者の有無にかかわらず異常な温度上昇や火災が発生したとしても、その現象が煙感知器７５１や熱感知器７５２により感知されて消化設備品７５が作動する。これにより、ブースの利用者をはじめ、ブース周辺の通行人の安全が確保される。
【００８６】
次に、ブース１Ａ、１Ｂには、表示入力ボックス８２が設けられている。
この際、表示入力ボックス８２に上記支払い手段８２２が備えられている場合には、ブース１Ａ、１Ｂの利用者はブースの前でブースの利用料金の支払いを済ませてから利用を開始することが可能になる。
また、表示入力ボックス８２に上記受付手段８２３が備えられていれば、ブースの利用状況を確認することや利用の予約を行うことが可能になり、ブース周辺の通行人による予定外の利用促進が図られる。また、ブース利用者の延長利用がしやすくなることもある。
【００８７】
＜ブースの設置場所や使用形態＞  
ブース１Ａ、１Ｂは、前述したように屋内に設置して使用されるほか、屋外等の所要の場所に設置して使用される。
【００８８】
この場合、屋内としては、例えば、建物における一室、廊下、共用スペース、空きフロア、階段の踊り場等の場所が挙げられる。このときの建物とは、ブース１Ａ、１Ｂ等を設置することが可能な建物である。このような建物としては、例えば、自社ビル、テナントビル、病院、銀行、学校（校舎）、公共の建物、工場、研究所、集合住宅等である。
また、屋外とは、家屋の外であってブース１Ａ、１Ｂ等を設置することが可能な場所であり、屋根等の雨風を防ぐ建造物の有無は問わない場所でもある。このような屋外としては、例えば、駅の構内、コンコース、駅前広場等や、会社、公共施設、工場等の敷地内や、展示会場、空港、ショッピングセンターの通路、広場、待合室、空きスペース等や、アーケード、オフィス街の半野外、地下道、工事現場や、街路における歩道又は広場や、空き地や、公園や、運動場等の場所が挙げられる。
【００８９】
また、このブース１Ａ、１Ｂは、例えば、利用の予約をした後に時間単位でかつ無料で利用できるブース（取り囲まれた空間）として使用されるか、又は利用の予約をした後に時間単位でかつ有料で利用できるブースとして使用される。なお、いずれの場合でも、利用の直前に利用者が本人確認の認証を受けことになる。
さらに、このブース１Ａ、１Ｂは、複数並べて連結した状態で使用することも可能である。この場合は、１箇所において複数の利用者によるブースの同時利用が可能になる。
ブース１Ａ、１Ｂの内部空間の利用内容は、原則として設備品７の机天板７１と椅子７４を使いながらの作業が対象になる。このような作業としては、例えば、ビジネスの作業、勉学の作業、準備や練習の作業等であるが、これら以外の種類の作業であってもよい。ちなみに、ブース１Ａ、１Ｂは、利用者の任意の作業を行うための内部空間を有するブースであるという観点からすると、例えば、ワークブースと称することができる。
【００９０】
そして、このブース１Ａ、１Ｂは、設置場所、利用者の利用形態等の使用条件に応じて、ブースを構築するために使用する分割側壁等の部品の構成や設備品７の有無、種類等の構成が異なる分割側壁、背面壁、天井材等の部品に取替えることができる。これにより、その使用条件に適合した構成内容に変更したブースを構成することや、その使用条件に適合する構成内容を追加したブースを構成することが実現される。
また、ブース１Ａ、１Ｂは、最初に設置する際やその設置後に移動を要する際には、床材３に設けられているキャスタ３６を使用して移動作業を行うことが可能である。また、ブース１Ａ、１Ｂは、設置位置が確定した段階で、床材３に設けられている高さ調節脚３５を床面２００に下降させてキャスタ３６が床面２００から浮き上がる状態にして、その設置状態を固定する。さらに、ブース１Ａ、１Ｂは、設置場所に強固に固定する必要がある場合には、例えば床材３から設置場所の床面２００にアンカー等の固定治具を打ち込んで固定する。
【００９１】
図１７は、ブース１Ａ，１Ｂの各設置場所の一例をしている。
【００９２】
ブース１Ａの場合は、例えば図１７（Ａ）に示す設置場所に設置して使用することが可能である。このときの設置場所は、ブース１Ａの背面側に壁等の障害物２０１があり、しかも、その左側面側と右側面側のいずれかにも別の障害物２０２，２０３が存在する場所である。図中の符号２００はブース１Ａを設置する床面を示し、符号２１０は設置する床面２００に対して存在する別の壁や大きな段差等との境界線を示している。
このような設置場所では、ブース１Ａの背面側、左側面側および右側面側から利用者が内部空間へ出入りすることが難しい。これに対して、ブース１Ａは、正面壁２１Ａに引き戸式の出入口扉６Ａを設けた構成内容になっている。
したがって、このような設置場所にブース１Ａを設置した場合は、その利用者は白抜き矢印で示すように正面側から接近して正面壁２１Ａにある出入口扉６Ａを開け閉めすることで内容空間に容易に出入りすることができ、利用しやすいものになる。
【００９３】
ブース１Ｂの場合は、例えば図１７（Ｂ）に示す設置場所に設置して使用することが可能である。このときの設置場所は、ブース１Ｂの背面側に壁等の障害物２０１があり、しかも、その右側面側にも別の障害物２０４が存在するような場所である。また、この設置場所は、ブース１Ｂの正面側における通行人の往来（図中に上下に並べて示される左右方向の矢印）が比較的多い場所でもある。
このような設置場所では、ブース１Ｂの背面側、右側面側および正面側から利用者が内部空間へ出入りすることが難しい。これに対して、ブース１Ｂは、左側面壁２３Ｂに開き戸式の出入口扉６Ｂを設けた構成内容になっている。
したがって、このような設置場所にブース１Ｂを設置した場合は、その利用者は白抜き矢印で示すように左側面側から接近して左側面壁２３Ｂにある出入口扉６Ｂを開け閉めすることで内容空間に容易に出入りすることができ、利用しやすいものになる。
【００９４】
また、仮にブース１Ａの設置場所が図１７（Ｂ）に例示した条件の設置場所に変化することがあった場合は、前述したようにブース１Ａにおける正面壁２１Ａと左側面壁２３Ａを、キット１０における正面壁２１Ｂと左側面壁２３Ｂに取替えることにより、ブース１Ａを図１７（Ｂ）に示すブース１Ｂの構成内容に変更して対応することができる。
逆に、ブース１Ｂの設置場所が図１７（Ａ）に例示した条件の設置場所に変化することがあった場合は、前述したようにブース１Ｂにおける正面壁２１Ｂと左側面壁２３Ｂを、キット１０における正面壁２１Ａと左側面壁２３Ａに取替えることにより、ブース１Ｂを図１７（Ａ）に示すブース１Ａの構成内容に変更して対応することができる。
【００９５】
図１８及び図１９は、ブース１Ｂと複数の変形ブース（１Ｃ−１Ｆ）の各設置場所および使用形態の一例をしている。
【００９６】
図１８は、ブース１Ｂと２つの変形ブース１Ｃ，１Ｄの設置状態および使用形態を示しているが、その設置場所については屋内又は屋外の比較的広い場所を想定している。
まず、ブース１Ｂは、その正面壁２１Ｂが図面の斜め手前側（矢印Ｚで示す方向とは反対の方向）を向いた状態になるよう設置されている。
【００９７】
また、変形ブース１Ｃは、ブース１Ｂに似た構成内容の部分とブース１Ａに似た構成内容の部分を仕切り壁がない状態で並べて連結させた拡張型のブースである。
つまり、変形ブース１Ｃは、例えば以下のように組み立てられる。まず、床材３に対して、ほぼ全部が透視可能な構成からなる背面壁２２Ｂと、出入口扉６Ｂのある左側側面壁２３Ｂと、右側面壁２４とをそれぞれ連結固定して第１のブース半分の部分を組み立てる。次に、椅子７４を設けない２種類目の床材３Ｂに対して、ほぼ全部が透視可能な構成からなる正面壁２１Ｂと、出入口扉のない透視不可の構成からなる左側面壁２３Ａと、机天板７１やモニター画像装置７２等を設けない２種類目の右側面壁２４Ｂとをそれぞれ連結固定して第２のブース半分の部分を組み立てる。最後に、第１のブース半分の部分と第２のブース半分の部分を、仕切り壁のない状態で連結固定する。このときの組み立ての手順は、一例であって、これに限定されない。
この変形ブース１Ｃは、上記各構成内容からなる第１のブース半分の部分と第２のブース半分の部分との間を仕切る分割側壁がない状態（仕切る分割側壁を取り除いた状態）で連結させた形式のブースになる。
【００９８】
この変形ブース１Ｃは、その透視可能な背面壁２２Ｂがブース１Ｂの正面壁２１Ｂの一端よりも図面の斜め手前側にずれた位置で図面の左側（矢印Ｘで示す方向とは反対の方向）を向いた状態になり、また図面の手前側から見たときにブース全体が横向きの状態になるよう設置されている。
【００９９】
さらに、変形ブース１Ｄは、ブース１Ａに似た構成内容の部分とブース１Ｂに似た構成内容の部分を仕切り壁が介在する状態で並べて連結させた構成内容のブースである。
つまり、変形ブース１Ｄは、例えば以下のように組み立てられる。まず、床材３に対して、出入口扉６Ａのある透視可能な構成からなる正面壁２１Ａと、出入口扉のない透視不可の左側面壁２３Ａと、右側面壁２４と、消火設備品７５の消火剤供給装置７５５のない透視不可の構成からなる３種類目の背面壁２２Ｃをそれぞれ連結固定して第３のブース半分の部分を組み立てる。次に、床材３に対して、ほぼ全部が透視可能な構成の背面壁２２Ｂと、出入口扉６Ｂのある透視不可の左側側面壁２３Ｂと、左側面壁２４とをそれぞれ連結固定して第４のブース半分の部分を組み立てる。最後に、第３のブース半分の部分と第４のブース半分の部分を、背面壁２２Ｃを仕切り壁にした状態で連結固定する。このときの組み立ての手順も、一例であってこれに限定されない。
この変形ブース１Ｄは、上記各構成内容からなる第３のブース半分部と第４のブース半分部の間を仕切る分割側壁を設置しない形式（仕切る分割側壁を取り除いた状態）で連結させた形式のブースになる。
【０１００】
この変形ブース１Ｄは、その出入口扉６Ａのある正面壁２１Ａが変形ブース１Ｃの正面壁２１Ｂの一端よりも図面の斜め手前側にずれた位置で図面の左側を向いた状態になり、また図面の手前側から見たときにブース全体が横向きの状態になるよう設置されている。換言すると、変形ブース１Ｄは、変形ブース１Ｃより図面手前側でかつ右側にずれた状態で設置されている。
【０１０１】
以上の各状態で設置されたブース１Ｂと変形ブース１Ｃ，１Ｄは、例えば、次のように利用される。
【０１０２】
ブース１Ｂの利用者は、その透視可能な正面壁２１Ｂが隣り合う変形ブース１Ｃにおける透視可能な背面壁２２Ｂと向き合っていない設置状態にあるので、変形ブース１Ｃの利用者と視線を合わせる心配がなく利用することが可能になる。
【０１０３】
また、変形ブース１Ｃは、図面の左側に存在する第１のブース半分の部分が、椅子、机天板、モニター画像装置等の設備品を備えた内部空間を備えている。その一方で、変形ブース１Ｃは、図面の右側に存在する第２のブース半分の部分が、椅子、机天板、モニター画像装置等の設備品がないものの自由に使える広い内部空間を備えている。
このため、変形ブース１Ｃの利用者は、全体として自由な空間が拡張された内部空間を利用することが可能になる。また、変形ブース１Ｃは、内部空間が拡張されることから、複数の利用者が入って利用することも可能になる。さらに、この変形ブース１Ｃの内部空間で行う作業については、利用者の利用目的に合わせた種々の作業が可能になる。
【０１０４】
さらに、変形ブース１Ｄの利用者は、その透視可能な正面壁２１Ａが変形ブース１Ｃにおける透視可能な正面壁２１Ｂと向き合っていない設置状態にあるので、変形ブース１Ｃの利用者と視線を合わせる心配がなく利用することが可能になる。
また、変形ブース１Ｄは、図面の左側に存在する第２のブース半分の部分とその右側に存在する第４のブース半分の部分との双方が椅子、机天板、モニター画像装置等の設備品を備えた内部空間を隣接させた状態で備えているが、その２つの内部空間は透視不可の背面壁２２Ｃで仕切られている。つまり、この変形ブース１Ｄは、１箇所に２つのブース（内部空間）を設置して使用できるものになる。
このため、変形ブース１Ｄは、二人の利用者が互いを意識することなくそれぞれ独立した状態で利用することが可能になる。また、変形ブース１Ｄの二人の利用者は、出入口扉が異なる分割側壁に設けられているので独立性が保たれる。
【０１０５】
なお、変形ブース１Ｃについては、左側に存在する第１のブース半分の部分における床材として、図１８（Ｂ）に例示するように椅子７４のない２種類目の床材３Ｂに取り替えて構成内容を変更してもよい。この場合は、変形ブース１Ｃには更に広い内部空間が形成されるので、利用の仕方や利用者の許容人数が増える。
また、変形ブース１Ｃ，１Ｄにおいても、その分割側壁、床材および天井材の少なくとも１つが構成内容の異なる別の種類の分割側壁、床材又は天井材に同数で又は必要により増減して取替え可能になっており、その構成内容の変更や追加が可能である。
さらに、ブース１Ｂと２つの変形ブース１Ｃ，１Ｄは、屋外に設置して使用する場合、天井材として密閉形式の天井材４Ｂが使用される。
【０１０６】
図１９は、２つの変形ブース１Ｅ，１Ｆの設置状態および使用形態を示しているが、その設置場所については屋外の比較的広い場所を想定している。
図１９における符号２２０は屋外の地面から一段高い地面を形成した嵩上げ部を示し、符号２２５は２つの変形ブース１Ｅ，１Ｆの上方に配置される屋根を示し、符号２２６は屋根２２５を支える支柱を示す。図１９に例示する嵩上げ部２２０は、平面形状を細長いほぼ長方形にしたものであり、例えば、車道や他の地面等と区別された設置場所として使用される。
【０１０７】
まず、変形ブース１Ｅは、ブース１Ａに似た構成内容のブースである。
つまり、変形ブース１Ｅは、分割側壁の背面壁としてほぼ全部が透視可能な背面壁２２Ｂを適用した点を変更した以外はブース１Ａと同じ構成からなるものである。
この変形ブース１Ｅは、その出入口扉６Ａのある正面壁２１Ａが図面の右奥側を向いた状態になり、その透視可能な背面壁２２Ｂが図面の左側で少し手前側に向いた状態になるよう設置されている。
【０１０８】
また、変形ブース１Ｆは、ブース１Ｂに似た構成内容の部分と上記変形ブース１Ｃに似た構成内容の部分を仕切り壁がない状態で並べて連結させた拡張型のブースである。
つまり、変形ブース１Ｆは、例えば以下のように組み立てられる。まず、床材３に対して、透視不可の構成からなる背面壁２２Ａと、出入口扉６Ｂのある左側側面壁２３Ｂと、右側面壁２４とをそれぞれ連結固定して第５のブース半分の部分を組み立てる。次に、椅子７４を設けない２種類目の床材３Ｂに対して、透視不可の構成からなる左側面壁２３Ａと、机天板７１やモニター画像装置７２等を設けずにほぼ全部又は一部が透視可能な構成からなる３種類目の右側面壁２４Ｃとをそれぞれ連結固定して第６のブース半分の部分を組み立てる。続いて、椅子７４を設けない２種類目の床材３Ｂに対して、ほぼ全部が透視可能な正面壁２１Ｂと、透視不可の構成からなる左側面壁２３Ａと、３種類目の右側面壁２４Ｃとをそれぞれ連結固定して第７のブース半分の部分を組み立てる。最後に、第５のブース半分の部分と第６のブース半分の部分と第７のブース半分の部分を、いずれも仕切り壁のない状態でそれぞれ連結固定する。このときの組み立ての手順は、一例であって、これに限定されない。
この変形ブース１Ｆは、上記各構成内容からなる第５から第７の計３つのブース半分の部分どうしの間を仕切る分割側壁がない状態（仕切る分割側壁を取り除いた状態）で連結させた形式のブースになる。
【０１０９】
この変形ブース１Ｆは、その透視不可の背面壁２２Ａがブース１Ｅの出入口扉のない透視不可の右側面壁２３Ａと向き合う状態になり、また図面の手前側から見たときにブース全体が横向きの状態になるよう設置されている。
【０１１０】
以上のように設置された変形ブース１Ｅ，１Ｆは、例えば、次のように利用される。
【０１１１】
ブース１Ｅの利用者は、はじめに屋外の嵩上げ部２２０から透視可能な正面壁２１Ａの出入口扉６Ａから入ることが可能になる。この際、ブース１Ｅは、その正面壁２１Ａと隣接するブース１Ｆの左側面壁２４が透視不可の分割側壁が存在する設置状態にあることから、ブース１Ｅの利用者は、ブース１Ｆの内部空間内にいる利用者から視線を受けることなく気楽にブース１Ｅの内部空間に入ることが可能になる。
また、ブース１Ｅの利用者は、その透視可能な正面壁２１Ａと背面壁２２Ｂが隣り合う変形ブース１Ｆにおける透視可能な背面壁２２Ｂと向き合っていない設置状態にあるので、変形ブース１Ｃの利用者と視線を合わせる心配がなく利用することが可能になる。
【０１１２】
また、変形ブース１Ｆは、図面の左側に存在する第５のブース半分の部分が、椅子、机天板、モニター画像装置等の設備品を備えた内部空間を備えている。その一方で、第５のブース半分の部分から右側に仕切り壁がなく連続して存在する第６のブース半分の部分と第７のブース半分の部分が、椅子、机天板、モニター画像装置等の設備品がないものの広い内部空間を備えている。
このため、変形ブース１Ｆの利用者は、全体として広さに余裕がある内部空間を利用することが可能になる。また、変形ブース１Ｆは、内部空間が上記変形ブース１Ｄよりも１．５倍の長さに拡張されることから、更に多くの利用者が一度に入って利用することも可能になる。変形ブース１Ｆのように広い内部空間は、例えば、小規模の打ち合わせ部屋、練習会場等として利用することも可能になる。
【０１１３】
さらに、変形ブース１Ｆの利用者は、その透視可能な正面壁２１Ｂや３種類目の左側面壁２４Ｃが変形ブース１Ｅにおける透視可能な正面壁２１Ａおよび背面壁２２Ｂのいずれとも向き合っていない設置状態にあるので、変形ブース１Ｅの利用者と視線を合わせる心配がなく利用することが可能になる。
【０１１４】
なお、２つの変形ブース１Ｅ，１Ｆは、屋外に設置して使用されるので、天井材として密閉形式の天井材４Ｂを使用することが無難である。しかし、図１９に例示する設置場所では、２つの変形ブース１Ｅ，１Ｆの上方を覆う屋根２２５が設けられているので、天井材として開放形式の天井材４Ａを使用することが可能な場合もある。
また、このときの変形ブース１Ｅ，１Ｆは、使用するときの環境の条件に応じて、密閉形式の天井材４Ｂから開放形式の天井材４Ａに取替えることや、開放形式の天井材４Ａから密閉形式の天井材４Ｂに取替えることを行うことにより、その天井材の構成内容を適切な構成内容に変更することが可能である。
したがって、変形ブース１Ｅ，１Ｆにおいても、その分割側壁、床材および天井材の少なくとも１つが構成内容の異なる別の種類の分割側壁、床材又は天井材に同数で又は必要により増減して取替え可能になっており、その構成内容の変更や追加が可能である。
【０１１５】
［変形例］
この発明は、実施の形態１で例示した内容に何ら限定されるものではなく種々の変更が可能であり、例えば、以下に挙げるような変形例も含むものである。
【０１１６】
ブース１を構築する側壁２（分割側壁）は、その構造、形状、寸法、材質および内外面意匠のうち少なくとも１つの要素が異なる別の側壁（分割側壁）を取替え可能な側壁２（分割側壁）として１種類又は複数種類のものを製作して用意しておけばよい。
また、出入口扉６Ａ，６Ｂを設ける分割側壁についても、その出入口扉６Ａ，６Ｂの種類（例えば折り戸式の扉）、形状、材質、位置、開閉向き（例えば右開き、左開き等）および内外面意匠のうちの少なくとも１つの要素が異なる別の出入口扉６を設けた分割側壁を、取替え可能な分割側壁として１種類又は複数種類のものを製作して用意しておけばよい。
このような取替え可能な側壁（分割側壁）や取替え可能な出入口扉６を設けた分割側壁は、キット１０の取替え対象の部品として予め製作して用意されるが、場合によっては、取替えの要求があったときに必要な構成内容の分割側壁を製作して対応するようにしても構わない。
【０１１７】
この場合、取替えの対象になる分割側壁の構造、形状および寸法は、取替え可能な条件を満たす内容で構成する必要がある。取替え可能な条件とは、例えば、非取替えの分割側壁等との連結固定、ブース全体としてのまとまり（連続性や調和）等の取替えを実施する際の基本的な要素である。
分割側壁の構造と材質については、例えば、透視可能又は透視不可になる構造や材質の違いや、屋内又は屋外の設置に適した構成や材質の違いや、額縁２８の有無による構造の違いも含まれる。分割側壁の形状については、平板状の形状に限定されず、二次曲面や三次曲面のように曲がった面部分を一部又は全体に有する形状を採用することができる。この形状を変更する場合は、外観形状や内部空間の形状が多様に異なるブースの構築や変更が可能になる。分割側壁の内外面意匠は、その内面や外面に付す着色や模様等である。この内外面意匠を変更する場合は、デザイン性に富んだ人目を惹くブースの構築や変更が可能になる。
なお、分割側壁は、側壁２を少なくとも２以上に分割したものであればよい。また、側壁２については、側壁２以外の床材３、天井材４等の他の取替え可能な部品がある場合には、分割側壁でなく１つの側壁（但し１つの側壁単位で取替え可能なもの）でもよい。
【０１１８】
また、ブース１を構築する側壁２（分割側壁）は、設備品７の有無、種類および配置の要素のうち少なくとも１つの要素が異なる別の側壁を取替え可能な側壁２（分割側壁）として１種類又は複数種類のものを製作して用意しておけばよい。
このような設備品７の構成内容の異なる取替え可能な側壁（分割側壁）は、キット１０の取替え対象の部品として予め製作して用意されるが、場合によっては、取替えの要求があったときに設備品７の必要な構成内からなる分割側壁を製作して対応するようにしても構わない。
【０１１９】
この場合、設備品７の有無とは、設備品７が設けられた種類の分割側壁と、その設備品７が設けられていない種類の分割側壁とが用意されているときの関係をいう。また、設備品７がない分割側壁を設備品７がある分割側壁に取替えた場合は、ブース１の構成内容を追加させることが可能になる。また、設備品７については、上記例示したものに限定されず、ブースの利用者等が必要とする他の設備品や、ブースを運営管理する管理者（運営者）に必要な設備品（例えば監視カメラ）を採用することができる。
【０１２０】
上記設備品７の有無の具体例を以下に例示する。
例えば、実施の形態１における左側面壁２４は、その通気孔２４６に設備品７の換気扇７８を設けた構成からなるものである。この場合、上記設備品７の有無は、この構成の左側面壁２４に対して、その通気孔２４６に換気扇７８を設けずに単なる孔のままにした構成からなる別の種類の左側面壁２４を用意して取替え可能にすることや、ルーバー等の通気調整器具を設けた構成からなる更に別の種類の左側面壁２４を用意して取替え可能にすることも含まれる。
また、実施の形態１における透視不可の背面壁２２Ａは、設備品７の一例である空調機器を設けていない構成からなるものである。この場合、上記設備品７の有無とは、この構成の背面壁２２Ａに対して、図８に二点鎖線で例示する設備品収容用の開口収容部２２５を設けるとともにその開口収容部２２５に図１４や図１５に例示するように設備品７の一例であるエアコン等の空調機器８５を取り付けた構成からなる別の種類の背面壁２２Ａを用意して取替え可能にすることも含まれる。
【０１２１】
さらに、ブース１を構築する床材３、天井材４および角部材５についても、その構造、形状、寸法、材質および内外面意匠、並びに設備品７の有無、種類および配置の要素のうち少なくとも１つの要素が異なる別の種類の床材３、天井材４および角部材５を、取替え可能な床材３、天井材４および角部材５として１種類又は複数種類のものを製作して用意しておけばよい。
このような構成内容の異なる取替え可能な床材３、天井材４および角部材５は、キット１０の取替え対象の部品として予め製作して用意されるが、場合によっては、取替えの要求があったときに必要な構成内からなる床材３、天井材４および角部材５を製作して対応するようにしても構わない。
【０１２２】
なお、角部材５は、例えば天井材４の一部や左側面壁２３又は右側面壁２４の端部として構成した場合は、不要となる。
また、ブース１については、床材３および天井材４の一方又は双方を用いずに構築した構成のものであって構わない。
また、実施の形態１では、ブース１として１つの出入口扉６Ａ，６Ｂが存在する構成例を示したが、ブース１としては、複数の出入口扉６が存在するブースであってもよい。
【０１２３】
また、実施の形態１では、出入口扉６Ａ，６Ｂとして、分割側壁である正面壁２１Ａや左側面壁２３Ａに固定して設けた構成例を示したが、出入口扉６は、分割側壁のいずれかに着脱可能に設けるものであってもよい。
この場合は、分割側壁単位での取替えを行うことなく、出入口扉６のみを種類等の異なる別の出入口扉６に取替えることが可能になり、これによってもブース１の構成内容を変更することが可能になる。
また、複数の出入口扉６を着脱可能に設けるブース１の場合には、その一部又は全部の出入口扉６を構成内容が異なる別の出入口扉６に取替えることが可能になる。
この場合は、一部の出入口扉６を扉以外の部材（例えば壁部材、窓部材、通気孔、収容部）に取替えることより、出入口扉の数を減らして別の構成内容に変更することや別の構成内容を追加することも可能になる。
【０１２４】
さらに、分割側壁の少なくとも１つは、図２０に示されるように、設備品７の一例として、展示物（３０１〜３０３）を設置する透視可能な展示スペース部分８６を設けて構成してもよい。
図２０に例示する分割側壁は、ほぼ全部が透視可能な構成からなる３種類目の正面壁２１Ｃである。この正面壁２１Ｃにおける展示スペース部分８６は、強化ガラス２１３にて構成される透視可能な固定正面部２１５Ａの内側に例えば２つの展示棚８６１，８６２を上下に設けてなる２段構成の展示スペース部分８６Ａ，８６Ｂである。
この展示スペース部分８６Ａ，８６Ｂは、ブース利用者が希望する任意の展示物３０１〜３０３を展示棚８６１，８６２に利用時間内だけ設置することで使用される。
【０１２５】
また、この展示スペース部分８６Ａ，８６Ｂは、例えばブース利用者以外の者の展示物を展示することがある場合には、図２０に示されるように、その展示棚８６１，８６２の更に内側に例えば２枚の開閉可能な引き戸８６５，８６６を設け、その引き戸８６５，８６６を施錠できるように構成してもよい。
このときの引き戸８６５，８６６は、例えば案内レール８６４が形成された支持材に取り付けられる。また、引き戸８６５，８６６は、透視可能な構成の引き戸であるほか、透視不可の引き戸であってもよい。
【０１２６】
以上のような展示スペース部分８６Ａ，８６Ｂを設けた分割側壁のあるブース１は、ブース利用者とブース周辺の通行人への宣伝機能が付加されたものになる。この種のブース１は、例えば、利用者が作製した物を展示スペース部分８６Ａ，８６Ｂに展示したうえで、その物を内部空間で実際に作製する作業を行って宣伝するように使用することも可能である。なお、展示スペース部分については、図２０に例示した構成に限定されず、他の構成を採用することができる。また、上記展示スペース部分８６Ａ，８６Ｂは、いわばミニ版のショーウインドーになる。
【符号の説明】
【０１２７】
１  …ブース
２  …側壁
３  …床材
４  …天井材
６  …出入口扉
７  …設備品
２１…正面壁（分割側壁の一例）
２２…背面壁（分割側壁の一例）
２３…左側面壁（分割側壁の一例）
２４…右側面壁（分割側壁の一例）
２７…額縁
７１…机天板
７４…椅子
８１…広告表示パネル部（広告表示手段の一例）
８６…展示スペース部分
２１３…強化ガラス
７３１…情報通信機器
７３２…電源機器
７３４…電源管理機器
７５２…熱感知器（人感センサの一例）
８２１…認証手段
８２２…支払い手段
８２３…受付手段（表示入力手段の一例）
【図１】
2020007803.tif 000003
【図２】
2020007803.tif 000004
【図３】
2020007803.tif 000005
【図４】
2020007803.tif 000006
【図５】
2020007803.tif 000007
【図６】
2020007803.tif 000008
【図７】
2020007803.tif 000009
【図８】
2020007803.tif 000010
【図９】
2020007803.tif 000011
【図１０】
2020007803.tif 000012
【図１１】
2020007803.tif 000013
【図１２】
2020007803.tif 000014
【図１３】
2020007803.tif 000015
【図１４】
2020007803.tif 000016
【図１５】
2020007803.tif 000017
【図１６】
2020007803.tif 000018
【図１７】
2020007803.tif 000019
【図１８】
2020007803.tif 000020
【図１９】
2020007803.tif 000021
【図２０】
2020007803.tif 000022